(57)【要約】【課題】観賞者が安楽な姿勢で映像を観賞できるようにする車載ディスプレー装置を実現することである【解決手段】スクリーン２を車両のフロントガラス５と運転席８の間に展開可能に配置したことを特徴とする車載ディスプレー装置１０。【選択図】図１
2004224235.tif 000002
【特許請求の範囲】
【請求項１】
車両の車室内に配置されるスクリーンと、
前記スクリーンに映像を映写する映写装置を備える車載ディスプレー装置において、
前記スクリーンを車両のフロントガラスと前席の間に展開可能に配置したことを特徴とする車載ディスプレー装置。
【請求項２】
前記スクリーンの映像を映写する投影面と反対側に太陽光を反射する反射面を備える請求項１に記載の車載ディスプレー装置。
【請求項３】
前記投影装置は、車外からの映像情報を受信する受信装置を備える請求項１又は２に記載の車載ディスプレー装置。
【発明の詳細な説明】
【０００１】
【発明の属する技術分野】
本発明は、車両の車室内で大きな画面で映像を観賞できるようにする車載ディスプレー装置に関するものである。
【０００２】
【従来の技術】
従来、大型バスなどの車載ディスプレー装置では、広い車室スペースを利用して大画面のスクリーンが配置可能であるが、乗用車などの狭い車室内では大画面のスクリーンの配置が難しい。このために、天井のスペースをスクリーンとして使用する方法も提案されている。
【０００３】
（例えば、特許文献１参照。）。
【０００４】
【特許文献１】
特開２０００−１４２２６０号公報
【０００５】
【発明が解決しようとする課題】
しかしながら、特開２０００−１４２２６０号公報に開示された従来技術による車載ディスプレー装置では、映像を完全に仰向けになって観賞しなければならず、非常に使用し難いものである。
【０００６】
そこで、本発明の解決すべき課題は、観賞者が安楽な姿勢で映像を観賞できるようにする車載ディスプレー装置を実現することである。
【０００７】
【課題を解決するための手段】
上記課題を解決するため、本発明で講じた第１の技術的な手段は、車両の車室内に配置されるスクリーンと、前記スクリーンに映像を映写する映写装置を備える車載ディスプレー装置において、前記スクリーンをフロントガラスと前席の間に展開可能に配置したことである。
【０００８】
上記の構成によって、鑑賞者が安楽な姿勢で映像を観賞できる位置に大画面のスクリーンを配置することが可能となる。
【０００９】
また、本発明で講じた第２の技術的手段は、上記第１の手段に加えて、前記スクリーンの投影面と反対に太陽光を反射する反射面を備えるように構成したことである。
【００１０】
この構成によって、スクリーンは車両の停車中に太陽光が社室内に射し込むのを遮蔽し、車室内が高温なるのが防止される。
【００１１】
更に、本発明で講じた第３の技術的手段は、上記第１の手段に加えて、前記投影装置は、車外からの映像情報を受信する受信装置を備えるようにしたことである。
【００１２】
この構成によって、車外の映像配信装置からの映像情報の受信が可能となって、より多くの映像の観賞が可能となる。
【００１３】
【発明の実施の形態】
以下、本発明を具体化した実施形態を図１、図２および図３に従って説明する。
【００１４】
図１に示すように、スクリーン装置２と、スクリーン装置２に映写することが出来る映写装置３とを備える車載ディスプレー装置１０が車両１の車室１ａ内に取付けられる。
【００１５】
図３に示すように、スクリーン装置２は車両１のフロントガラス５と運転席８（前席）の間に位置するダッシュボード１２内に収納される巻取り機構２１を備えている。スクリーン２２は巻取り機構２１から引出され展開できる構成となっている。スクリーン２２の端部には板状の車両の幅方向に水平に伸びるハンガー部２３が取付けられて、スクリーン２２が図３に実線で示される非展開状態では板状のハンガー部２３はダッシュボード１２に設けられて穴１２ａの蓋となっている。また、スクリーン２２が二点鎖線で示される展開状態のときは、ハンガー部２３はルームミラー１１に設けられたフック１１ａに係止されて、スクリーン２２を展開状態で保持することが出来る構成である。スクリーン２２は展開された状態で、フロントガラス５の後方を覆うように、且つフロントガラス５の形状に沿うように車両の幅方向に湾曲して伸びる構成となって、車室のスペースを有効に利用して、パノラマの大画面で良好な映写ができる。
【００１６】
一方、図１に示されるように、車室１ａ幅方向の床中央部に設けられた中央台１４上にコンソール７が配置されている。コンソール７には映写装置３と、ビデオ装置またはＤＶＤ装置などの映像再生装置３２とさらには無線ＬＡＮまたはテレビ放送などによって配信される映像信号を受信する受信装置３１が収納されている。各装置は適宜配線され、鑑賞者の操作に応じて映像を映写装置３によってスクリーン２２に映写し、また音声はオーデオ装置３６で提供できる構成となっている。
【００１７】
従来、野外シアターで屋外の大きなスクリーンに映写して提供されてきた映画などを、従来と同様に特定の場所に駐車して、無線ＬＡＮによって映像信号を提供して受信装置３１で受信して映画などを観賞できるようにすることが可能となる。この場合、必ずしも従来のように車両を車外のスクリーンが見える位置に停車させる必要がなく、多くの観客に映像を提供することが可能となる。勿論、停車中の車両には有線による映像信号の提供も可能である。
【００１８】
ここで、コンソール７は車両の前後方向に移動式にすれば、映像のサイズの調整または焦点合わせとしても機能できるようになる。また、図３に示されるように、スクリーン２２の傾斜が必ずしも投影装置３５の投影方向に対して直角になっていない場合は、投影装置３５は歪みのない適切な映像が補正して映写できる光学装置を有している。
【００１９】
図２に示すように、スクリーン２２は展開状態で停車中に日光が車室１ａ内に射込むのを防ぐようにして使用することもできる。スクリーン２２は本来良好な映像を映写するように、光を透過し難い材料を用いて作製されているために日光の遮断には適当である。勿論、スクリーン２２のフロントガラス５側の日光が当たる側の面は良く日光が反射できるように、白色または銀色に着色して反射面を形成するようにすると良い。
【００２０】
このように構成された、車載ディスプレー装置によって、鑑賞者は図１に示されるように、例えば運転席８の背もたれ部分を倒して安楽な姿勢にして映像を観賞することができるようになる。
【００２１】
【発明の効果】
このように構成された車載ディスプレー装置１０によって、車室１０ａ
内で安楽な姿勢で大画面の映像を観賞できるようになる。
【図面の簡単な説明】
【図１】本発明に関る車載ディスプレー装置を備える車両の車室内の斜視図である。
【図２】本発明に関るディスプレー装置のスクリーンが日光の射込みを防止するように展開された状態を示す斜視図である。
【図３】本発明に関るディスプレー装置のスクリーンの車両中央部での断面図。
【符号の説明】
３      映写装置
５      フロントガラス
８      前席（運転席）
１０      車載ディスプレー装置
２２      スクリーン
２２ａ    映写面
２２ｂ    反射面
３１      受信装置
【図１】
2004224235.tif 000003
【図２】
2004224235.tif 000004
【図３】
2004224235.tif 000005